(57)【要約】【課題】監視者によるタグのすり替えや置き去りを防止し、監視されるべき者を確実に監視することを目的とする。【解決手段】監視システム１００が、監視対象者である被監視者２００に付されたタグ２１０が保持する情報と被監視者２００の生体情報とを対応させて格納するタグ・生体情報格納部１２３と、タグ２１０から情報を読み取るタグ情報読取部１１１と、タグ・生体情報格納部１２３から、タグ情報読取部１１１が読み取ったタグ２１０の情報に対応する生体情報を取得する生体情報取得部１２２と、被監視者２００から生体情報を読み取る生体情報読取部１２４と、生体情報取得部１２２が取得した生体情報と生体情報読取部１２４が読み取った生体情報とを照合する生体認証部１２５と、照合の結果を出力する認証結果出力部１２６とを備える構成とした。【選択図】図１
2008054967.tif 000002
【特許請求の範囲】
【請求項１】
監視対象者である被監視者に付されたタグが保持する情報と前記被監視者の生体情報とを対応させて格納するタグ・生体情報格納部と、
前記タグから情報を読み取るタグ情報読取部と、
前記タグ・生体情報格納部から、前記タグ情報読取部が読み取った前記タグの情報に対応する前記生体情報を取得する生体情報取得部と、
前記被監視者から生体情報を読み取る生体情報読取部と、
前記生体情報取得部が取得した前記生体情報と前記生体情報読取部が読み取った前記生体情報とを照合する生体認証部と、
前記照合の結果を出力する認証結果出力部と
を備えることを特徴とする監視システム。
【請求項２】
監視対象者である被監視者に付されたタグが保持する情報と前記被監視者の生体情報とを対応させて格納するタグ・生体情報格納部と、
前記タグから情報を読み取るタグ情報読取部と、
前記タグ・生体情報格納部から、前記タグ情報読取部が読み取った前記タグの情報に対応する前記生体情報を取得する生体情報取得部と、
前記被監視者から生体情報を読み取る生体情報読取部と、
前記生体情報取得部が取得した前記生体情報と前記生体情報読取部が読み取った前記生体情報とを出力する生体情報出力部と
を備えることを特徴とする監視システム。
【請求項３】
前記タグの位置を検知する位置検知部と、
前記位置検知部が検知した前記タグの位置を表示する位置表示部と
をさらに備えることを特徴とする請求項１または請求項２に記載の監視システム。
【請求項４】
前記生体情報は、指静脈情報、虹彩画像情報、指紋情報、顔画像情報および声紋情報のうち、少なくとも１つである
ことを特徴とする請求項１ないし請求項３のいずれか１項に記載の監視システム。
【請求項５】
監視対象者である被監視者に付されたタグから情報を読み取るタグ情報読取装置と通信可能であって、
前記タグの情報と前記被監視者の生体情報とを対応させて格納するタグ・生体情報格納部と、
前記タグ情報読取装置から前記タグの情報を受信するタグ情報受信部と、
前記タグ・生体情報格納部から、前記タグ情報受信部が受信した前記タグの情報に対応する前記生体情報を取得する生体情報取得部と、
前記被監視者から生体情報を読み取る生体情報読取部と、
前記生体情報取得部が取得した前記生体情報と前記生体情報読取部が読み取った前記生体情報とを照合する生体認証部と、
前記照合の結果を出力する認証結果出力部と
を備えることを特徴とする生体認証装置。
【請求項６】
監視対象者である被監視者に付されたタグから情報を読み取るタグ情報読取装置と通信可能であって、
前記タグの情報と前記被監視者の生体情報とを対応させて格納するタグ・生体情報格納部と、
前記タグ情報読取装置から前記タグの情報を受信するタグ情報受信部と、
前記タグ・生体情報格納部から、前記タグ情報受信部が受信した前記タグの情報に対応する前記生体情報を取得する生体情報取得部と、
前記被監視者から生体情報を読み取る生体情報読取部と、
前記生体情報取得部が取得した前記生体情報と前記生体情報読取部が読み取った前記生体情報とを出力する生体情報出力部と
を備えることを特徴とする生体認証装置。
【発明の詳細な説明】
【技術分野】
【０００１】
本発明は、タグおよび生体認証の技術を用いて監視対象者を監視する技術に関する。
【背景技術】
【０００２】
従来、監視対象者である被監視者を監視するシステムには様々なものがある。例えば、無線ＬＡＮ（Local Area Network）システムにおいて、複数の基地局が、相互に無線通信することによって相互の時計のずれを検出し、各基地局が自基地局の時計に基づいて、被監視者が携帯する端末からの信号の受信時刻を測定し、サーバが、各基地局で測定された受信時刻と、各基地局で検出された相互の時計のずれと、各基地局の位置とを用いて、端末を携帯する被監視者の位置を検出する技術が開示されている（例えば、特許文献１参照）。
【０００３】
また、撮影された透過光画像に含まれる静脈パターンを抽出し、抽出した静脈パターンを、あらかじめ登録されている指画像の静脈パターンと照合して、被監視者の個人認証を行う技術が開示されている（例えば、特許文献２参照）。
【特許文献１】特開２００４−１０１２５４号公報
【特許文献２】特開２００２−８３２９８号公報
【発明の開示】
【発明が解決しようとする課題】
【０００４】
しかしながら、前記特許文献１に開示されている技術では、端末を携帯する者の居場所を監視することは可能であるが、被監視者が自分以外の者に端末を携帯させる「すり替え」を行った場合に、本来監視されるべき者を監視できなくなるという問題がある。また、被監視者が端末を携帯しない「置き去り」を行った場合にも、監視されるべき者を監視できなくなるという問題がある。
【０００５】
また、前記特許文献２に開示されている技術では、照合に成功した場合、指画像を撮影された者が監視されるべき者であることは判別できるが、照合に失敗した場合、照合の失敗の原因が、指画像を撮影された者が本来監視されるべき者ではないことであるのか、あるいは認証装置の照合処理が正常に機能しなかったことが原因であるのかに関して明確な解答を出せないという問題がある。
【０００６】
そこで、本発明は、監視対象である被監視者の監視を、より確実に行うことを目的とする。
【課題を解決するための手段】
【０００７】
前記目的を達成するため、本発明は、監視対象者である被監視者に付されたタグが保持する情報と被監視者の生体情報とを対応させて格納するタグ・生体情報格納部と、タグから情報を読み取るタグ情報読取部と、タグ・生体情報格納部から、タグ情報読取部が読み取ったタグの情報に対応する生体情報を取得する生体情報取得部と、被監視者から生体情報を読み取る生体情報読取部と、生体情報取得部が取得した生体情報と生体情報読取部が読み取った生体情報とを照合する生体認証部と、照合の結果を出力する認証結果出力部とを備える構成とした。
【発明の効果】
【０００８】
本発明によれば、監視対象である被監視者の監視を、より確実に行うことが可能となる。
【発明を実施するための最良の形態】
【０００９】
以下、図面を用いて本発明の実施形態について説明する。
図１は、本実施形態における監視システムの機能構成例を示す図である。
図１に示すように、被監視者２００は、監視システム１００が監視を行う対象となる者であり、被監視者２００にはタグ２１０が付されている。タグ２１０は、タグを識別するための情報を含むタグ情報を格納している。なお、タグ２１０は、被監視者２００の身体に直接付されていてもよいし、被監視者２００の衣服などに付されていてもよい。また、タグ２１０は、被監視者２００によって容易に外すことが可能であると、すり替え、置き去りなどが容易に行えるため、容易には外せないように構成するのが好ましい。具体的には、被監視者２００を監視すべき立場の者が所有する鍵を用いてのみ外すことが可能な構成や、生体埋め込みの構成などが考えられる。
【００１０】
監視システム１００は、タグ情報読取装置１１０と、生体認証装置１２０とを含んで構成される。
【００１１】
タグ情報読取装置１１０は、被監視者２００に付されたタグ２１０からタグ情報を読み取る装置であり、タグ情報読取部１１１と、タグ情報送信部１１２と、アンテナ１１２ａと、アンテナ１１１ａとを含んで構成される。ここで、タグ情報読取部１１１と、タグ情報送信部１１２とは、例えば、メモリに格納されたプログラムをＣＰＵ（Central Processing Unit）が実行することによって実現されるものである。ハードウェア的には、電波を送受信するＲＦ（Radio Frequency）回路や無線通信用のネットワークインタフェースカード、ＣＰＵ、ＲＡＭ（Random Access Memory）、ＲＯＭ（Read Only Memory）などにより実現される。
【００１２】
アンテナ１１１ａは、読み取り用の電波の送信と応答波（タグ情報）の受信を行うアンテナとしての機能を有する。
【００１３】
タグ情報読取部１１１は、アンテナ１１１ａを介してタグ２１０からタグ情報を読み取ると、読み取ったタグ情報をタグ情報送信部１１２に出力する機能を有する。
【００１４】
タグ情報送信部１１２は、タグ情報読取部１１１からタグ情報が入力されると、入力されたタグ情報を、アンテナ１１２ａを介して生体認証装置１２０に送信する機能を有する。
【００１５】
アンテナ１１２ａは、無線通信用のアンテナであり、生体認証装置１２０と無線通信を行う機能を有する。
【００１６】
生体認証装置１２０は、タグ情報受信部１２１と、アンテナ１２１ａと、生体情報取得部１２２と、タグ・生体情報格納部１２３と、生体情報読取部１２４と、生体認証部１２５と、認証結果出力部１２６とを含んで構成される。ここで、タグ情報受信部１２１と、生体情報取得部１２２と、生体認証部１２５とは、例えば、メモリに格納されたプログラムをＣＰＵが実行することによって実現されるものである。ハードウェア的には、無線通信用のネットワークインタフェースカード、ＣＰＵ、ＲＡＭ、ＨＤＤ（Hard Disk Drive）、フラッシュメモリなどにより実現される。
【００１７】
タグ情報受信部１２１は、タグ情報送信部１１２から、アンテナ１１２ａを介して送信されたタグ情報を、アンテナ１２１ａを介して受信し、生体情報取得部１２２に出力する機能を有する。
【００１８】
アンテナ１２１ａは、無線通信用のアンテナであり、タグ情報読取装置１１０と無線通信を行う機能を有する。
【００１９】
生体情報取得部１２２は、タグ情報受信部１２１からタグ情報が入力されると、入力されたタグ情報に基づいて、タグ・生体情報格納部１２３に登録されている生体情報（登録生体情報）を取得し、生体認証部１２５に出力する機能を有する。
【００２０】
タグ・生体情報格納部１２３は、タグ情報と生体情報とを対応させてタグ・生体情報として格納する機能を有する。例えば、ハードディスクやフラッシュメモリなどによって実現される。このタグ・生体情報については、後記する。
【００２１】
生体情報読取部１２４は、被監視者２００から生体情報を読み取り、生体認証部１２５に出力する機能を有する。生体情報としては、指静脈情報、虹彩画像情報、指紋情報、声紋情報、顔画像情報などがある。生体情報として、指静脈情報、虹彩画像情報、指紋情報、顔画像情報などを用いる場合には、生体情報読取部１２４は、カメラなどによって実現され、声紋情報などを用いる場合には、生体情報読取部１２４は、マイクなどによって実現される。
【００２２】
生体認証部１２５は、生体情報読取部１２４から入力された生体情報（読取生体情報）と、生体情報取得部１２２から入力された生体情報（登録生体情報）との照合を行い、認証結果を認証結果出力部１２６に出力する機能を有する。認証結果としては、例えば、照合が成功した場合には「０：認証成功」、照合が失敗した場合には「１：認証失敗」の値を出力するなどの方法がある。
【００２３】
認証結果出力部１２６は、生体認証部１２５から入力された認証結果を出力する機能を有する。例えば、認証結果出力部１２６は、表示画面のようなものであり、生体認証部１２５から「０：認証成功」が入力された場合には、被監視者２００を監視すべき立場の者にその旨を伝えるメッセージ「認証成功」を表示し、生体認証部１２５から「１：認証失敗」が入力された場合には、被監視者２００を監視すべき立場の者にその旨を伝えるメッセージ「認証失敗」を表示するようにしてもよい。また、認証結果出力部１２６は、生体認証部１２５から「１：認証失敗」が入力された場合には、被監視者２００を監視すべき立場の者にその旨を伝える警告音を発するようにしてもよい。また、生体認証装置１２０とは別の装置の近くに、被監視者２００を監視すべき立場の者がいる場合には、認証結果出力部１２６がその生体認証装置１２０とは別の装置に認証結果を出力するようにしてもよい。
【００２４】
図２は、本実施形態における監視システムの各装置の設置例を示す図である。
図２に示すように、監視対象となる被監視者２００が部屋の中にいる。図２には３人の被監視者２００が示されているが、被監視者２００の数は特に限定されるものではない。被監視者２００にはそれぞれタグ２１０が付されている。
【００２５】
タグ情報読取装置１１０は、例えば、部屋の入口付近に設置されており、被監視者２００が部屋に入る際に、タグ２１０のタグ情報を読み取る。タグ情報読取装置１１０によって読み取られたタグ情報は、無線により生体認証装置１２０に送信される。生体認証装置１２０は、例えば、被監視者２００を監視する立場の監視者３００が携帯しており、被監視者２００から生体情報を入力すると、タグ情報読取装置１１０から無線により送信されたタグ情報に対応する生体情報と照合する。照合の結果は、例えば、生体認証装置１２０の表示画面に表示され、監視者３００が確認することが可能である。
【００２６】
図３は、本実施形態におけるタグ・生体情報の構成例を示す図である。タグ・生体情報格納部１２３（図１参照）が格納するタグ・生体情報１２３０は、タグ情報１２３１と、生体情報１２３２とを含んで構成される。
【００２７】
タグ情報１２３１は、タグ２１０を一意に識別することが可能な情報である。例えば、ＭＡＣアドレス（Media Access Control address）などを用いることが可能である。
【００２８】
生体情報１２３２は、被監視者２００（図１参照）の身体を一意に識別することが可能な情報である。例えば、前記した通り、生体情報１２３２としては、指静脈情報、虹彩画像情報、指紋情報、声紋情報、顔画像情報などがある。
【００２９】
図４は、本実施形態における監視システムの処理の流れを示すフローチャートである。図４を参照して（適宜図１および図３参照）、監視システム１００が実行する処理について説明する。
【００３０】
まず、タグ情報読取装置１１０において、タグ情報読取部１１１が、タグ２１０からタグ情報を読み取る（ステップＳ１０１）。次に、タグ情報送信部１１２が、タグ情報読取部１１１が読み取ったタグ情報を生体認証装置１２０に送信する（ステップＳ１０２）。
【００３１】
続いて、生体認証装置１２０において、タグ情報受信部１２１が、タグ情報読取部１１１から送信されたタグ情報を受信する（ステップＳ１０３）。そして、生体情報取得部１２２が、タグ情報受信部１２１が受信したタグ情報をもとに、登録生体情報を取得する（ステップＳ１０４）。具体的には、生体情報取得部１２２は、タグ情報受信部１２１が受信したタグ情報とタグ情報１２３１が一致するデータを、タグ・生体情報１２３０から検索し、そのデータの生体情報１２３２（登録生体情報）を取得する。生体情報読取部１２４は、被監視者２００から生体情報（読取生体情報）を読み取る（ステップＳ１０５）。次に、生体認証部１２５は、生体情報の照合を行う（ステップＳ１０６）。具体的には、生体認証部１２５は、登録生体情報と読取生体情報との照合を行う。そして、認証結果出力部１２６は、その照合の結果を認証結果として出力する（ステップＳ１０７）。
【００３２】
なお、ここでは、生体認証部１２５が１人の被監視者２００に対して照合を１回のみ行うこととしたが、この照合の回数は特に限定されない。例えば、生体認証部１２５における照合の処理が失敗した場合には、成功するまで複数回に渡って照合の処理を行うことにしてもよい。その場合、照合に用いる生体情報は、１種類に限定されない。例えば、１回目の照合で指静脈情報を用い、照合に失敗した後、２回目の照合で顔画像情報を用いることによって、生体認証装置１２０における照合機能の確実性を増すことができる。また、２回目の照合は、被監視者２００を監視すべき立場の者が顔画像を比較して行うようにしてもよい。
【００３３】
以上において説明した処理によって、本実施形態の監視システムは、監視者によるタグの「すり替え」や「置き去り」を防止し、本来監視されるべき者を確実に監視できる。また、照合に失敗した場合でも、タグ・生体情報格納部１２３に被監視者２００の生体情報が登録されていない場合には、「２：登録情報なし」などのメッセージを確認することによって被監視者２００が本来監視されるべき者ではない者であると判断することができ、タグ・生体情報格納部１２３に被監視者２００の生体情報が登録されている場合には、「１：認証失敗」などのメッセージを確認することによって認証装置の照合処理が正常に機能しなかったと判断することができる。つまり、監視対象である被監視者の監視を、より確実に行うことが可能である。
【００３４】
以上、本実施形態について説明したが、本実施形態は技術的不都合が生じない範囲で自由に変更することができる。以下、変形例について図１を参照しながら説明する。例えば、監視システム１００が位置検知システムを備え、この位置検知システムが、タグ２１０の位置を表示する位置表示部と、タグ２１０の位置を検知して、その位置を位置表示部に出力する位置検知部とを備えることによって、被監視者２００をより確実に監視することが可能となる。位置検知の方法としては、位置検知システムが少なくとも３台の無線ＬＡＮの基地局（位置が既知の固定局）を備え、タグ２１０が所定時間ごとに電波を発信する機能を備え、タグ２１０から発信された電波の各基地局までの到達時間あるいは各基地局から送信された電波のタグ２１０への到達時間から三点測量の原理、つまり位置が既知の各基地局とタグ２１０との距離を求めてタグ２１０の位置を算出することによりタグ２１０の位置を検知する方法などがある。位置検知システムとしては、日立AirLocation（登録商標）などを用いることが可能である。
【００３５】
本実施形態では、生体認証装置１２０が生体情報の認証を行うこととしたが、生体認証装置１２０が生体情報出力部を備え、その生体情報出力部を介して、生体情報読取部１２４から入力された生体情報（読取生体情報）と、生体情報取得部１２２から入力された生体情報（登録生体情報）とを出力し、被監視者２００を監視すべき立場の者が、出力された読取生体情報と登録生体情報とに基づいて、照合を行うようにしてもよい。その場合、生体認証装置１２０は、生体認証部１２５および認証結果出力部１２６を備えなくてもよい。
【００３６】
さらに、本実施形態では、生体情報取得部１２２が、入力されたタグ情報に基づいて、タグ・生体情報格納部１２３に登録されている生体情報を取得することとしたが、取得できない場合には、「２：登録情報なし」の値を認証結果出力部１２６に直接出力することとしてもよい。その場合、認証結果出力部１２６は、生体情報取得部１２２から「２：登録情報なし」が入力された場合には、被監視者２００を監視すべき立場の者にその旨を伝えるメッセージ「登録情報なし」を表示するようにしてもよい。また、認証結果出力部１２６は、生体情報取得部１２２から「２：登録情報なし」が入力された場合には、被監視者２００を監視すべき立場の者にその旨を伝える警告音を発するようにしてもよい。
【００３７】
また、本実施形態では、タグ・生体情報格納部１２３がタグ情報と生体情報とを対応させてタグ・生体情報として格納する機能を有することとしたが、被監視者２００の識別情報と生体情報とを対応させて被監視者・生体情報として格納する機能を有することとしてもよい。その場合、生体認証装置１２０が、タグ情報受信部１２１が受信したタグ情報を被監視者２００の識別情報に変換する変換部を備え、変換部が被監視者２００の識別情報を生体情報取得部１２２に出力するようにしてもよい。また、生体認証装置１２０とは別の装置がタグ情報送信部１１２から受信したタグ情報を被監視者２００の識別情報に変換し、タグ情報受信部１２１に出力するようにしてもよい。
【００３８】
さらに、本実施形態では、被監視者２００に付されるものとしてタグ２１０を利用することとしたが、被監視者２００を一意に識別できるものであればタグ２１０以外のものであってもよい。例えば、被監視者２００に付されるものとしてＩＣ（Integrated Circuit）カードを利用することとしてもよい。この場合には、タグ情報読取装置１１０の代わりにカードリーダを用いればよい。
【００３９】
また、図５に示すように、監視システム１００Ａが、生体認証装置１２０Ａの外に生体情報読取装置１３０を備えるような構成にしてもよい。この場合、生体情報読取装置１３０は、生体情報読取部１３１と、生体情報送信部１３２と、アンテナ１３２ａとを備え、生体情報読取部１３１が被監視者２００から生体情報を読み取り、生体情報送信部１３２がアンテナ１３２ａを介して、その生体情報を生体認証装置１２０Ａに送信する構成になる。生体認証装置１２０Ａは、アンテナ１２５ａを介して、生体情報読取装置１３０から送信された生体情報を受信する。また、このような構成であれば、複数の部屋を有する施設の各部屋にタグ情報読取装置１１０および生体情報読取装置１３０を設置しておき、各部屋のタグ情報読取装置１１０からタグ情報を受信するとともに、各部屋の生体情報読取装置１３０から生体情報を受信して、管理室にある１台の生体認証装置１２０Ａが複数の部屋にいる被監視者２００の生体認証を行うことができる。もちろん、タグ情報読取装置１１０や生体情報読取装置１３０を室内でなく室外に設置してもよい。
【００４０】
また、図６に示すように、監視システム１００Ｂが、生体認証装置１２０（図１参照）とタグ情報読取装置１１０（図１参照）とを一体化させた構造である生体認証装置１２０Ｂを備えるような構成にしてもよい。
【図面の簡単な説明】
【００４１】
【図１】本実施形態における監視システムの機能構成例を示す図である。
【図２】本実施形態における監視システムの各装置の設置例を示す図である。
【図３】本実施形態におけるタグ・生体情報の構成例を示す図である。
【図４】本実施形態における監視システムの処理の流れを示すフローチャートである。
【図５】本実施形態における監視システムの機能構成例を示す図である。
【図６】本実施形態における監視システムの機能構成例を示す図である。
【符号の説明】
【００４２】
１００、１００Ａ、１００Ｂ  監視システム
１１０  タグ情報読取装置
１１１  タグ情報読取部
１１１ａ  アンテナ
１１２  タグ情報送信部
１１２ａ  アンテナ
１２０、１２０Ａ、１２０Ｂ  生体認証装置
１２１  タグ情報受信部
１２１ａ  アンテナ
１２２  生体情報取得部
１２３  タグ・生体情報格納部
１２４  生体情報読取部
１２５  生体認証部
１２５ａ  アンテナ
１２６  認証結果出力部
１３０  生体情報読取装置
１３１  生体情報読取部
１３２  生体情報送信部
１３２ａ  アンテナ
２００  被監視者
２１０  タグ
１２３０  タグ・生体情報
１２３１  タグ情報
１２３２  生体情報
【図１】
2008054967.tif 000003
【図２】
2008054967.tif 000004
【図３】
2008054967.tif 000005
【図４】
2008054967.tif 000006
【図５】
2008054967.tif 000007
【図６】
2008054967.tif 000008